(57)【要約】【課題】  本発明に係る放熱構造は、主として放熱ランプ板、ケース、光導管及び透光性フィルムで構成される。【解決手段】  前記放熱ランプ板は放熱板と複数個の放熱ランプセットからなっている。前記放熱ランプ板の片側には放熱効果を有するうろこ状放熱材が複数個設置され、もう片側には放熱ランプセットが複数個嵌め込まれ、放熱ランプセットの周囲には光導管を嵌め込むための嵌め込み溝が設置されている。前記ケースの片側には放熱ランプ板を設置するための透孔を有し、もう片側には、光導管を貫通させ放熱ランプ板の嵌め込み溝に嵌め込むための開口部を有している。前記光導管の片側には放熱ランプ板の片側と貼り合わせるための貼り合わせ面が設置され、もう片側には透光性フィルムを貼り付けるためのフラット面が同心円状に設置されている。前記透光性フィルムは透明効果を有する半カバーであり、その片側にはフラット貼り付け部が設置されている。【選択図】  図２
2009277542.tif 000002
【特許請求の範囲】
【請求項１】
放熱板と複数個の放熱ランプセットからなり、前記放熱板の片側には放熱効果を有するうろこ状放熱材が複数個設置され、もう片側には放熱ランプセットが嵌め込まれてあり、その放熱ランプセットの周囲には嵌め込み溝が設置された放熱ランプ板と、真空管状であり、片側には、放熱板の片側と貼り合わせるための面を有し、もう片側にはフラット面を有している導光管と、透光効果があり、片側には、透光性フィルムを導光管のフラット面に貼り付け両者を互いに結合させるために用いられるフラット貼り付け部が設置されている、半カバーの透光性フィルムと、金属製のカバーであり、その片側には放熱ランプ板を設置するための透孔を有し、もう片側には、導光管を貫通させ放熱ランプ板の嵌め込み溝に嵌め込むための開口部が設置されているケースなどを主に含むことを特徴とする放熱構造。
【請求項２】
前記放熱ランプセットは複数個のヒートパイプと複数個のＬＥＤランプセットで構成され、前記ヒートパイプは伝熱効果を有する真空状の金属パイプであり、その一端はＬＥＤランプセットを設置するためのフラット部を有することを特徴とする請求項1に記載する放熱構造。
【発明の詳細な説明】
【技術分野】
【０００１】
本発明は放熱構造に関し、特にＬＥＤランプの高輝度化を利用した街灯の発熱構造に関する。
【背景技術】
【０００２】
従来の街灯だと高い輝度を要求されるので、ほとんどは高い仕事率で大きなサイズの発光体を使用し、街灯のケースから放熱が行われる。しかしながら、この従来方式を実施すると、以下のような弊害があることが分かった。
【０００３】
１、従来の街灯は仕事率が高く大きなサイズの発光体を使用しているので、消費電力は驚くほどの量である。日増しにエネルギー不足問題が切迫し、ますますエネルギーが貴重なものになってきているこの時代に、賢明な選択とはいえないだろう。
【０００４】
２、従来の街灯は高い仕事率であるため、発光体が作動するときに生じる熱量はいうまでもないが、もしケースの放熱だけに頼った場合、ケースの温度が高くなりすぎてしまうか発光体が焼き切れてしまうだろう。  
【発明の開示】
【発明が解決しようとする課題】
【０００５】
本発明は、この設計により従来の街灯より優れた放熱構造を提供し、低仕事率、高輝度、高い放熱率を達成できる放熱構造を提供することを主な目的とする。
【課題を解決するための手段】
【０００６】
本発明が運用する技術手段は放熱構造を提供するためにあり、主に放熱ランプ板、ケース、導光管及び透光性フィルムから成っている。前記放熱ランプ板は、放熱板及び複数個の放熱ランプセットから成っており、前記放熱板の片側には放熱効果をもつ複数個のうろこ状放熱材を有し、もう片側には複数個の放熱ランプセットが嵌め込まれている。放熱ランプセットの周りには嵌め込み溝が設置してあり、導光管を取り付けるのに用いられる。前記放熱ランプセットは複数個のヒートパイプ及びＬＥＤランプセットから成っている。前記ヒートパイプは伝熱効果をもつ真空の金属パイプであり、その一端にフラット部を有し、ＬＥＤランプセットを設置するのに用いられる。また、前記ケースは金属製のカバーであり、その片側には放熱ランプ板を設置するために用いられる透孔を有し、もう片側には、導光管を通し放熱ランプ板の嵌め込み溝に嵌め込むのに用いられる開口部を有している。前記導光管は真空管状であり、その片側には貼り合わせ面を有し、放熱板の片側と貼り合わせるために用いられ、もう片側にはフラット面を有し、透光性フィルムを貼り合わせるために用いられる。前記透光性フィルムは透光効果をもった半カバーであり、その片側にはフラット貼り付け部を有し、透光性フィルムを導光管のフラット面に貼り合わせ、両者をお互いに結合させるために用いられる。また、ケースの透孔は放熱ランプ板を設置するのに用いられるため、前記透孔の内側のサイズは放熱ランプ板の外側のサイズよりわずかに小さくなっていて、前記ケースの開口部は導光管の外側のサイズよりわずかに大きくなっている。
【発明の効果】
【０００７】
前述した本発明の放熱構造は、主に、以下に述べる効果を有する。
【０００８】
１、放熱効率を高める：本発明は、伝熱部品をＬＥＤランプセットの片側の発熱源に直接貼り付けることにより、すばやく熱を伝えて放出するので、放熱効率を効果的に高めることができる。
【０００９】
２、コストの削減：本発明は直接ケースの上で使用するため、本発明が作動するとき、セット全ての構造から生じる熱量を全部放出することができるので、他の放熱方式を必要としない。
【発明を実施するための最良の形態】
【００１０】
図１、２、３、４で示しているように、本発明の放熱構造は、主に、放熱ランプ板１０、ケース２０、導光管３０及び透光性フィルム４０から成っている。前記放熱ランプ板１０は、放熱板１１と複数個の放熱ランプセット１２から成っていて、前記放熱板１１の片側には放熱効果を有する複数のうろこ状放熱材１１１が設置されていて，もう片側には，複数個の放熱ランプセット１２が嵌め込まれている。また、放熱ランプセット１２が周りに嵌め込まれた放熱板１１の上には、嵌め込み溝１１２が設置されていて、導光管３０を嵌め込むのに用いられる。そして、前記ケース２０は金属製のカバーであり、その片側には放熱ランプ板１０を設置するために用いられる透孔２１を有しており、もう片側には，開口部２２をしていて、導光管３０を通し放熱ランプ板１０の嵌め込み溝１１２に嵌め合わせるために用いられる。前記の導光管３０は真空管状になっていて、その片側には貼り合わせ面３１を有しており、放熱板１１の片側にある嵌め込み溝１１２を嵌め込むために用いられる。また、もう片側には、フラット面３２を有していて透光性フィルム４０を貼り合わせるのに用いられる。前記透光性フィルム４０は透光効果を有する半カバーであり、その片側にフラット貼り合わせ部４１を有し，透光性フィルム４０を導光管３０のフラット面３２に貼り合わせ両者を結合させるために用いられる。ケース２０の透孔２１は、放熱ランプ板１０を設置するのに用いられるため、前記の透孔２１の内側のサイズは放熱ランプ板１０の外側のサイズよりわずかに小さく、前記ケース２０の開口部２２は導光管３０の外側のサイズよりわずかに大きくなっている。
【００１１】
図５、６が示すように、前記放熱ランプセット１２は複数個のヒートパイプ１２１及びＬＥＤランプセット１２２から成っている。前記ヒートパイプ１２１は伝熱効果を有する真空の金属管であり、その一端の両側にはフラット部１２１１を有し、ＬＥＤランプセット１２２を設置するのに用いられる。また前記ＬＥＤランプセット１２２は、複数個のＬＥＤランプ、伝熱材、基板及び固定部品を重ね合わせたものであり、前記ＬＥＤランプの片側には極板があり、もう片側は発光ダイオードである。前記極板の片側の両端には電極が分けて設置してあり、発光ダイオードの周りには保護用の枠が取り付けられている。前記基板は配線を有するプリント回路板であり、その上にはＬＥＤランプを嵌め込むために用いられる複数個の透孔を有している。また、その片側には直列回路が設置されており、ＬＥＤランプを直列につなぎその輝度を増加させるために用いられる。前記基板上には複数個の穿孔を有しており、固定部品をそこに通して、基板を伝熱材にしっかり固定させるために用いられる。また、前記伝熱材は厚みと高い伝熱性を有した金属材であり、熱を伝える媒介の役割を果たし、ＬＥＤランプ極板の片側に貼り付けることで、ＬＥＤランプが作動した後に発生する熱量を放出させることができる。また、もう片側にはヒートパイプ１２１のフラット部１２１１に貼り付けられている。前記伝熱材の上には、複数個の固定穴を有しており、固定部品をしっかり取り付けることで伝熱材と基板を結合させるために用いられる。本発明の放熱ランプ板１０とケース２０の間はくっつけ合わせることができ、導光管３０と透光性フィルム４０の間もまた同様である。
【００１２】
図５が示しているように、本発明の放熱構造を組み立てるためには、まず、複数個のＬＥＤランプを順序にそって基板の透孔内に嵌め込み、ＬＥＤランプの極板の片側を、直列回路を有する基板の片側に貼り付ける。次に、伝熱材の片側をＬＥＤランプ極板のもう片側に貼り合わせ、ＬＥＤランプが生じる熱量を伝熱材に伝えさせる。続いて、固定部品を基板の穴に通して、伝熱材の固定穴にしっかり固定させ、基板と伝熱材を結合させる。最後に、ヒートパイプ１２１の片側のフラット部１２１１を伝熱材の片側に貼り付ければよい。
【００１３】
図１、３、４、６で示しているように、ＬＥＤランプセット１２２とヒートパイプ１２１の組み立てを完成させる際には、放熱ランプセット１２全体の放熱効率を増加させるために、もう一つのヒートパイプ１２１を用意し、フラット１２１１部同士を重ね合わせる必要がある。また、放熱ランプセット１２を放熱板１１の片側に差し込んだ後に、放熱ランプ板１０をケース２０の透孔２１内に嵌め込む。続いて、導光管３０の貼り合わせ面３１をケース２０の開口部２２に通した後、それを放熱ランプ板１０の片側の嵌め込み溝１１２に嵌め込み固定させ、最後に、透光性フィルム４０の片側の貼り合わせフラット貼り付け部４１を、導光管３０の片側に取り付けているフラット面３２に貼り付ければよい。そして図７、８Ａ、８Ｂで示すように、また、図６を参照すると分かるように、本発明ヒートパイプ１２１は、外に開いた適切な角度θを採用していて、ＬＥＤランプセット１２２の光を外に向かって放出できるので、大きい照明面積を得ることができる。
【００１４】
図９Ａが示すように、本発明の放熱ランプ板１０上には、ヒートパイプ１２１を差し込める差込管１３が複数個設置されている。ヒートパイプ１２１を前記差込管１３に差し込むことで、熱をすばやく放熱ランプ板１０とケース２０に伝え放出させる。また、図９Ｂ、９Ｃが示すように、前記差込管１３ａ、１３ｂは、必要に応じて放熱ランプ板１０ａ、１０ｂの片側、或いは両側に設置できるほか、図１０Ａ、１０Ｂ、１０Ｃが示すように、差込管１３ｃとケース２０ａを直接くっつけたり、前記差込管１３ｄ、１３ｅを必要に応じてケース２０ｂ、２０ｃの片側、或いは両側に設置することができる。従って、本発明の実施及び製作時の困難さを大きく低減させることができる。
【図面の簡単な説明】
【００１５】
【図１】本発明の立体分解図。
【図２】別の角度から見た本発明の立体分解図。
【図３】本発明放熱ランプ板の立体組立図。
【図４】別の角度から見た本発明放熱ランプ板の立体組立図。
【図５】本発明ＬＥＤランプセットの立体分解図。
【図６】本発明ＬＥＤランプセットとヒートパイプの立体分解図。
【図７】本発明の立体組立図。
【図８Ａ】別の角度から見た本発明の立体組立図。
【図８Ｂ】図８ＡのＡ−Ａ部分の断面図。
【図９Ａ】本発明差込管の増設図。
【図９Ｂ】本発明差込管の別の実施図。
【図９Ｃ】本発明差込管のもう一つの実施図。
【図１０Ａ】本発明ケースの別の実施図。
【図１０Ｂ】本発明ケースのもう一つの実施図。
【図１０Ｃ】本発明ケースのもう一つ別の実施図。
【符号の説明】
【００１６】
１０  放熱ランプ板
１１  放熱板
１２  放熱ランプセット
２０  ケース
２１  透孔
２２  開口部
１１１  うろこ状放熱材
１１２  嵌め込み溝
３０  光導管
３１  貼り合わせ面
３２  フラット面
４０  透光性フィルム
４１  フラット貼り付け部
１２１  ヒートパイプ
１２２  ＬＥＤランプセット
１２１１  フラット部
【図１】
2009277542.tif 000003
【図２】
2009277542.tif 000004
【図３】
2009277542.tif 000005
【図４】
2009277542.tif 000006
【図５】
2009277542.tif 000007
【図６】
2009277542.tif 000008
【図７】
2009277542.tif 000009
【図８Ａ】
2009277542.tif 000010
【図８Ｂ】
2009277542.tif 000011
【図９Ａ】
2009277542.tif 000012
【図９Ｂ】
2009277542.tif 000013
【図９Ｃ】
2009277542.tif 000014
【図１０Ａ】
2009277542.tif 000015
【図１０Ｂ】
2009277542.tif 000016
【図１０Ｃ】
2009277542.tif 000017